(57)【要約】【課題】従来のエアシャワー装置では、エアジェットにより拡散した塵埃を吸い込む際に、除塵室内においてエアジェットによる風の届かない場所や、気流の動きにくい場所等において淀み点が発生してしまい、塵埃を効率よく除去できないことがある。エアシャワー装置内の埃だまりをより低減することのできる構造を提供する。【解決手段】エアシャワー装置の側壁面の全面にパンチング孔を形成した全面パンチング板を設置し、ファンモータを駆動させて吸引することにより、エアシャワー装置内の淀み点を解消し、埃だまりを低減することができる。また、全面パンチング板の開孔率を上部と下部で変えて吸い込み量を調整することにより、エアシャワー装置内に浮遊している塵埃を一様に吸い込むことができる構造をとることにより、問題の抑止を可能とした。【選択図】図１
2014025617.tif 000002
【特許請求の範囲】
【請求項１】
天井面及び前後左右の側壁面の四方を封じて床面上に設置して除塵室を構成するエアシャワー装置であって、
前記四方向の側壁面の内の２つの側壁面に入室用開口及び退室用開口を設け、
前記入室用開口及び退室用開口とは異なる壁面の内の１つの壁面は空気の吹出し面とし、
前記入室用開口、退室用開口及び前記吹出し面の何れとも異なる壁面には、多数のパンチング孔を形成したパンチング板を具備し、
前記除塵室に向けて前記吹出し面からは、空気を吹出すための複数のジェットノズルを前記天井面近傍から前記床面近傍にまで設置しており、該複数のジェットノズルから吹出す空気を前記除塵室から吸込むファンモータを備え、該ファンモータによって吸込まれた空気を加圧してフィルタにより除塵する除塵部を備えることにより、
前記吹出し面の前記天井面から前記床面近傍にまで形成された前記複数のジェットノズルから前記除塵室に空気を吹出すとともに、前記パンチング板を介して前記除塵室の空気を吸い込むことを特徴とするエアシャワー装置。
【請求項２】
前記入室用開口、退室用開口及び前記吹出し面の何れとも異なる壁面の前記パンチング板には、前記天井面近傍から前記床面近傍にまで多数のパンチング孔を形成しており、
前記吹出し面の前記天井面から前記床面近傍にまで形成された前記複数のジェットノズルから前記除塵室に空気を吹出すとともに、前記天井面近傍から前記床面近傍にまで形成された多数のパンチング孔から前記除塵室の空気を吸い込むことを特徴とする請求項１記載のエアシャワー装置。
【請求項３】
前記入室用開口、退室用開口及び前記吹出し面の何れとも異なる壁面の前記パンチング板には、前記天井面近傍から前記床面近傍にまで多数のパンチング孔を形成し、前記天井面には全面に空気を吹出すための複数のジェットノズルを配置し、
前記吹出し面の前記天井面から前記床面近傍にまで形成された前記複数のジェットノズル及び前記天井面の全面に形成された複数のジェットノズルから前記除塵室に空気を吹出すとともに、前記天井面近傍から前記床面近傍にまで形成された多数のパンチング孔から前記除塵室の空気を吸い込むことを特徴とする請求項１記載のエアシャワー装置。
【請求項４】
前記入室用開口、退室用開口及び前記吹出し面の何れとも異なる壁面の前記パンチング板には、前記天井面近傍から前記床面近傍にまで多数のパンチング孔を形成し、前記天井面には全面に空気を吹出すための複数のジェットノズルを配置し、さらに前記床面には当該床面全面に多数のパンチング孔を形成し、
前記吹出し面の前記天井面から前記床面近傍にまで形成された前記複数のジェットノズル及び前記天井面の全面に形成された複数のジェットノズルから前記除塵室に空気を吹出すとともに、前記天井面近傍から前記床面近傍にまで形成された多数のパンチング孔及び前記床面全面に形成された多数のパンチング孔から前記除塵室の空気を吸い込むことを特徴とする請求項１記載のエアシャワー装置。
【請求項５】
前記入室用開口、退室用開口及び前記吹出し面の何れとも異なる壁面の前記パンチング板には、前記天井面近傍から前記床面近傍にまで多数のパンチング孔を形成しており、そのパンチング孔の開口率が前記天井面近傍で大きく、前記床面近傍で小さいことを特徴とする請求項４記載のエアシャワー装置。
【請求項６】
前記天井面にはダウンフロー空気のエアシャワーを形成する空気吹出口を配置し、さらに前記床面には当該床面全面に多数のパンチング孔を形成し、
前記吹出し面の前記天井面から前記床面近傍にまで形成された前記複数のジェットノズルから前記除塵室に空気を吹出すとともに、前記天井面近傍から前記床面近傍にまで形成された多数のパンチング孔及び前記床面全面に形成された多数のパンチング孔から前記除塵室の空気を吸い込み、前記天井面に形成された空気吹出口からのエアシャワーにより前記塵埃室の塵埃を下方に押し流すことを特徴とする請求項２記載のエアシャワー装置。
【請求項７】
前記天井面及び前記床面には、前記除塵室に向けて空気を吹出すように当該床面全面に複数のジェットノズルを配置しており、
前記吹出し面の前記天井面から前記床面近傍にまで形成された前記複数のジェットノズル、前記天井面の全面に形成された複数のジェットノズル及び前記床面の全面に形成された複数のジェットノズルから前記除塵室に空気を吹出すとともに、前記天井面近傍から前記床面近傍にまで形成された多数のパンチング孔から前記除塵室の空気を吸い込むことを特徴とする請求項３記載のエアシャワー装置。
【請求項８】
前記天井面及び前記床面には、前記除塵室に向けて空気を吹出すように当該床面全面に複数のジェットノズルを配置しており、
前記入室用開口、退室用開口及び前記吹出し面の何れとも異なる壁面は、前記天井面近傍から中央部までは複数のジェットノズルを配置し、前記床面近傍には多数のパンチング孔を形成したことを特徴とする請求項７記載のエアシャワー装置。
【請求項９】
前記入室用開口、退室用開口及び前記吹出し面の何れとも異なる壁面の前記天井面近傍から前記床面近傍にまで複数のジェットノズルを配置し、かつ、前記天井面にも全面に空気を吹出すための複数のジェットノズルを配置し、前記床面には前記除塵室の空気を吸い込むため全面に多数のパンチング孔を形成し、
前記吹出し面の前記天井面から前記床面近傍にまで形成された前記複数のジェットノズル、前記天井面の全面に形成された複数のジェットノズル及び前記入室用開口、退室用開口及び前記吹出し面の何れとも異なる壁面の前記天井面近傍から前記床面近傍にまで複数のジェットノズルから前記除塵室に空気を吹出すとともに、前記床面に形成された多数のパンチング孔から前記除塵室の空気を吸い込むことを特徴とする請求項１記載のエアシャワー装置。
【発明の詳細な説明】
【技術分野】
【０００１】
本発明は、ファン等で加圧された空気を用いて塵埃を除去するエアシャワー装置に関する。
【０００２】
エアシャワー装置とは、半導体及び精密機械等の製造、又は食品製造・加工を行なうクリーンルーム又は作業室の出入り口に設置され、クリーンルーム及び作業室の通路又は前室として使用され、クリーンルーム又は作業室へ塵埃の流入・持込を防止する為の装置である。
【背景技術】
【０００３】
従来、人や物に付着した塵埃が作業環境等に影響しないよう、付着した塵埃を風圧等で吹き飛ばすためのエアシャワー装置が種々開示されている。例えば特許文献１乃至５には花粉を含めた塵埃を、付着した人や物からエアジェットノズル等によって送風して風圧によって除塵するエアシャワー装置等が開示されている。その際、塵埃の再付着を防止するために除塵室内の空気を吸引してフィルタによって塵埃を取り除く構成が種々開示されている。
【０００４】
例えば、特許文献１，２及び５は、除塵室の側壁下方に吸引口を設け、除塵室の空気を吸い込んだ後フィルタ等によって塵埃を取り除き、再度除塵室に向けて吸い込んだ空気を吹き出す構成のエアシャワー装置を開示している。また特許文献３及び４は吸引口を床面に設けたエアシャワー装置を開示している。
【０００５】
特許文献１（特開２０１１−０２１７９２号公報）には、人体に付着した花粉をより確実に除去することを可能にする花粉除去方法を提供することを課題とし、人体に付着した花粉を除去する方法であって、接地した導電体を備える静電気除去装置に人が触れることによって人体に帯電した静電気を導電体を介して除電し、これとともに、送風装置の吹出口から人体に風を吹き付けることによって人体に付着した花粉を吹き飛ばして除去するようにした技術が開示されている。これにおいて、花粉などを大量に含んだ空気は、下部に設けた吸込口からプレフィルタ、高機能フィルタを通って清浄化され、再度吹出口から人体に吹き付けるように流通して循環する。
【０００６】
特許文献２（特開２００７−１６３１０８号公報）には、浮遊微粒子類及び各種浮遊微生物類を排除することができ、人体に安全である空気清浄化機能を備えた高機能エアシャワー装置を提供するものであり、閉鎖空間の両壁面の下方には、通過者その他部品、資材等通過物体から吹き飛ばされた塵埃を含む排気を吸引するための排気吸引格子が形成されている。そして、それぞれの排気吸引格子の内側にはそれぞれ吸引ブロアが配置されており、左右の通風ダクトから高機能（ＨＥＰＡ）フィルタを通過して清浄化空気領域内へ移行し、加圧空気流形成ノズルを経て閉鎖空間へ循環せしめられるように構成されている。
【０００７】
特許文献３（特開２００５−０９０７６３号公報）には、エアシャワー処理を速やかに行うととともに、払い落とした塵埃が人体に再付着してクリーンルームへ持ち込まれるのを防止することを課題として、塵埃の払い落とし運転が終了してから退室開始までは、排気用ファンを、設定された出力モードで運転を継続する層流噴出用ファンと、低出力モードで運転するエアシャワー噴射用ファン手段とによる送給量と排気量とが拮抗するように低出力モードで運転して、天井からの層流により払い落とした塵埃を抑え込むとともに、エアシャワー室内を流下する層流を、排気用ファンにより床面の略全面から吸引して屋外に排気し、エアシャワー室内を負圧にして、退室の際エアシャワー室外への塵埃の流出を防止し、さらに、エアシャワー室の側壁に排気ダクト及び排気チャンバーに連通する排気孔を設けてエアシャワー室内に浮遊する塵埃の室外への排気を迅速に行うものが開示されている。
【０００８】
特許文献４（特開２００３−２７９０９５号公報）は、エアシャワー室底面に汚染物質が堆積することなく確実に排出させることにより、再汚染のおそれが飛躍的に軽減され、また床面や床下部底面の清掃作業を軽減することができる画期的な汚染物質除去用のエアシャワー装置を提供するものであり、エアシャワー室の床に、このエアシャワー室で除去された汚染物質が通過する開口部を設け、この床の下方に前記開口部を通過した汚染物質を側方へ移動させる気流を与えるエアノズルを備えた汚染物質除去用のエアシャワー装置である。
【０００９】
特許文献５（特開２００２−１４７８１０号公報）には、エアシャワー室内の床面へ落下する塵埃等の蓄積を防止することを目的とし、エアシャワー室と、該室側方に配置される浄化空気供給機構とを備え、エアシャワー室内の空気を浄化空気供給機構により吸引し、浄化された空気をエアシャワー室内に噴射しエアシャワー室内の空気を循環浄化するエアシャワー装置において、浄化空気供給機構は下部にエアシャワー室の床面と略々同一面とした窪み部を備え、浄化空気供給機構はエアシャワー室内の空気を該窪み部を介して吸引するものが開示されている。
【先行技術文献】
【特許文献】
【００１０】
【特許文献１】特開２０１１−０２１７９２号公報
【特許文献２】特開２００７−１６３１０８号公報
【特許文献３】特開２００５−０９０７６３号公報
【特許文献４】特開２００３−２７９０９５号公報
【特許文献５】特開２００２−１４７８１０号公報
【発明の概要】
【発明が解決しようとする課題】
【００１１】
一般的なエアシャワーの構造は、除塵室の本体ケースの側面の壁面下部にある吸引口から吸込み、吸引口と同一壁面の上部や天井等に設置されたエアジェットノズルから風を噴出し、除塵を行っていた。その場合、吸引口が床面に近い部分しかなく、塵埃の淀み点が発生してしまっていた。このとき、床面にパンチングを設置することにより一様流を作り出し、淀み点を低減する方法も一般的に行われているが、設置建屋の床の上に別途パンチングを設けた専用の床面を設ける必要があり、設置建屋の床面との間に段差が発生してしまい、近年のバリアフリー化に伴い問題となっていた。
【００１２】
本発明は上記課題を鑑みてなされたものであり、エアジェットノズルから吹出した風によって淀み点が生じることを防止し、かつ、設置建屋の床面との間に段差がなく、塵埃の確実な除去を可能とするエアシャワー装置を提供することを目的とする。
【課題を解決するための手段】
【００１３】
本発明の請求項１記載のエアシャワー装置は、天井面及び前後左右の側壁面の四方を封じて床面上に設置して除塵室を構成するエアシャワー装置であって、前記四方向の側壁面の内の２つの側壁面に入室用開口及び退室用開口を設け、前記入室用開口及び退室用開口とは異なる壁面の内の１つの壁面は空気の吹出し面とし、前記入室用開口、退室用開口及び前記吹出し面の何れとも異なる壁面には、多数のパンチング孔を形成したパンチング板を具備し、前記除塵室に向けて前記吹出し面からは、空気を吹出すための複数のジェットノズルを前記天井面近傍から前記床面近傍にまで設置しており、該複数のジェットノズルから吹出す空気を前記除塵室から吸込むファンモータを備え、該ファンモータによって吸込まれた空気を加圧してフィルタにより除塵する除塵部を備えることにより、前記吹出し面の前記天井面から前記床面近傍にまで形成された前記複数のジェットノズルから前記除塵室に空気を吹出すとともに、前記パンチング板を介して前記除塵室の空気を吸い込むことを特徴とする。
【００１４】
本発明の請求項２記載のエアシャワー装置は、前記入室用開口、退室用開口及び前記吹出し面の何れとも異なる壁面の前記パンチング板には、前記天井面近傍から前記床面近傍にまで多数のパンチング孔を形成しており、前記吹出し面の前記天井面から前記床面近傍にまで形成された前記複数のジェットノズルから前記除塵室に空気を吹出すとともに、前記天井面近傍から前記床面近傍にまで形成された多数のパンチング孔から前記除塵室の空気を吸い込むことを特徴とする。
【００１５】
本発明の請求項３記載のエアシャワー装置は、前記入室用開口、退室用開口及び前記吹出し面の何れとも異なる壁面の前記パンチング板には、前記天井面近傍から前記床面近傍にまで多数のパンチング孔を形成し、前記天井面には全面に空気を吹出すための複数のジェットノズルを配置し、前記吹出し面の前記天井面から前記床面近傍にまで形成された前記複数のジェットノズル及び前記天井面の全面に形成された複数のジェットノズルから前記除塵室に空気を吹出すとともに、前記天井面近傍から前記床面近傍にまで形成された多数のパンチング孔から前記除塵室の空気を吸い込むことを特徴とする。
【００１６】
本発明の請求項４記載のエアシャワー装置は、前記入室用開口、退室用開口及び前記吹出し面の何れとも異なる壁面の前記パンチング板には、前記天井面近傍から前記床面近傍にまで多数のパンチング孔を形成し、前記天井面には全面に空気を吹出すための複数のジェットノズルを配置し、さらに前記床面には当該床面全面に多数のパンチング孔を形成し、前記吹出し面の前記天井面から前記床面近傍にまで形成された前記複数のジェットノズル及び前記天井面の全面に形成された複数のジェットノズルから前記除塵室に空気を吹出すとともに、前記天井面近傍から前記床面近傍にまで形成された多数のパンチング孔及び前記床面全面に形成された多数のパンチング孔から前記除塵室の空気を吸い込むことを特徴とする。
【００１７】
本発明の請求項５記載のエアシャワー装置は、前記入室用開口、退室用開口及び前記吹出し面の何れとも異なる壁面の前記パンチング板には、前記天井面近傍から前記床面近傍にまで多数のパンチング孔を形成しており、そのパンチング孔の開口率が前記天井面近傍で大きく、前記床面近傍で小さいことを特徴とする。
【００１８】
本発明の請求項６記載のエアシャワー装置は、前記天井面にはダウンフロー空気のエアシャワーを形成する空気吹出口を配置し、さらに前記床面には当該床面全面に多数のパンチング孔を形成し、前記吹出し面の前記天井面から前記床面近傍にまで形成された前記複数のジェットノズルから前記除塵室に空気を吹出すとともに、前記天井面近傍から前記床面近傍にまで形成された多数のパンチング孔及び前記床面全面に形成された多数のパンチング孔から前記除塵室の空気を吸い込み、前記天井面に形成された空気吹出口からのエアシャワーにより前記塵埃室の塵埃を下方に押し流すことを特徴とする。
【００１９】
本発明の請求項７記載のエアシャワー装置は、前記天井面及び前記床面には、前記除塵室に向けて空気を吹出すように当該床面全面に複数のジェットノズルを配置しており、前記吹出し面の前記天井面から前記床面近傍にまで形成された前記複数のジェットノズル、前記天井面の全面に形成された複数のジェットノズル及び前記床面の全面に形成された複数のジェットノズルから前記除塵室に空気を吹出すとともに、前記天井面近傍から前記床面近傍にまで形成された多数のパンチング孔から前記除塵室の空気を吸い込むことを特徴とする。
【００２０】
本発明の請求項８記載のエアシャワー装置は、前記天井面及び前記床面には、前記除塵室に向けて空気を吹出すように当該床面全面に複数のジェットノズルを配置しており、前記入室用開口、退室用開口及び前記吹出し面の何れとも異なる壁面は、前記天井面近傍から中央部までは複数のジェットノズルを配置し、前記床面近傍には多数のパンチング孔を形成したことを特徴とする。
【００２１】
本発明の請求項９記載のエアシャワー装置は、前記入室用開口、退室用開口及び前記吹出し面の何れとも異なる壁面の前記天井面近傍から前記床面近傍にまで複数のジェットノズルを配置し、かつ、前記天井面にも全面に空気を吹出すための複数のジェットノズルを配置し、前記床面には前記除塵室の空気を吸い込むため全面に多数のパンチング孔を形成し、前記吹出し面の前記天井面から前記床面近傍にまで形成された前記複数のジェットノズル、前記天井面の全面に形成された複数のジェットノズル及び前記入室用開口、退室用開口及び前記吹出し面の何れとも異なる壁面の前記天井面近傍から前記床面近傍にまで複数のジェットノズルから前記除塵室に空気を吹出すとともに、前記床面に形成された多数のパンチング孔から前記除塵室の空気を吸い込むことを特徴とする。
【発明の効果】
【００２２】
本発明のエアシャワー装置は、壁面の何れか１つにおいて一面にパンチング孔を形成した全面パンチング板を配置することで、若しくは、所定のパンチング板を設けそれ以外の全面にエアジェットノズルを配置することで、エアシャワー装置内の除塵室において淀み点を低減することができる。
【図面の簡単な説明】
【００２３】
【図１】本発明の実施例１におけるエアシャワーを示す構成図である。
【図２】本発明の実施例２におけるエアシャワーを示す構成図である。
【図３】本発明の実施例３におけるエアシャワーを示す構成図である。
【図４】本発明の実施例４におけるエアシャワーを示す構成図である。
【図５】本発明の実施例５におけるエアシャワーを示す構成図である。
【図６】本発明の実施例６におけるエアシャワーを示す構成図である。
【図７】本発明の実施例７におけるエアシャワーを示す構成図である。
【発明を実施するための形態】
【００２４】
以下、本発明の実施形態について、図１〜図７を用いて説明する。
【実施例１】
【００２５】
本発明の実施例１について、図１に基づいて説明する。なお、本実施例の説明において「天井」「床」、「左右」、「前後」との用語は、図示における位置関係を理解しやすく説明するためのものであり、発明の技術的範囲を夫々の方向のみに限定するためのものではない。本願明細書において、同様の構成部品に関しては、天井部に配置される部品にはａの符号を付し、左側壁部に配置される部品にはｂの符号を付し、右側壁部に配置される部品にはｃの符号を付し、床部に配置される部品にはｄの符号を付して説明する。
【００２６】
図１は、エアシャワー装置１０１を正面から見た場合の断面図を中央に表しており、また、そのエアシャワー装置の天井面５、左右側壁面６，３の、除塵室３００側から見た平面図を展開して表示している。１０１は、エアシャワー装置であり、天井部２００、左側壁部２０１、右側壁部２０２によって構成され、それ等と図示しない設置場所の床面とによって除塵室３００を形成する。天井部２００には、周囲の空気を吸引するするファンモータ１ａと、ファンモータ１ａによって吸引した空気から塵埃を取り除くフィルタ２ａとを備える。フィルタ２ａは、ＨＥＰＡフィルタと呼ばれる高性能のフィルタである。また、天井部２００の除塵室３００側（天井面５）にはフィルタ２ａから吐出された空気を除塵室３００に送り出すためのエアジェットノズル２０ａを天井面５の全面に備えている。図１の実施例では、２個、１個、２個の配列としている。左側壁部２０１には、天井部２００と同様に、ファンモータ１ｂ、フィルタ２ｂを備え、左側壁面６の全面にエアジェットノズル２０ｂを設けている。図１の実施例では、縦３列で、左列から５個、４個、５個の配列として、床面近くまでの左側壁面６全面にエアジェットノズル２０ｂを配置している。また、図示しないが図１において手前側に入退室用の扉があり、奥側を側壁面とする。尚、手前側及び奥側を双方扉とし、入口及び出口を決めて一方通行としても何ら問題ない。
【００２７】
右側壁部２０２には、除塵室３００から塵埃等を吸引する吸引口となる多数のパンチング孔３０を一面に形成する全面パンチング板３を備え、全面パンチング板３の除塵室３００と対向する側（図１において全面パンチング板３の右側）にはパンチング孔３０からの塵埃のうち、大きな塵埃を集塵するための粗塵用フィルタ４ｃを設ける。尚、天井部２００及び左右側壁部２０１、２０２の内部は中空に形成され、各部２００〜２０２は、夫々の中空部において空気が自在に往来可能となっている。このような構成によって、除塵室３００内の空気はファンモータ１ａ、１ｂの吸引力によって、全面パンチング板３のパンチング孔３０から粗塵用フィルタ４ｃを通して吸引され、中空部を介してフィルタ２ａ、２ｂへ送風され、天井面５のエアジェットノズル２０ａ及び左側壁面６のエアジェットノズル２０ｂによって除塵室３００へ吐出されて（以降、エアジェットノズルから吹き出す空気のことをエアジェットと称呼する）、一連の空気の巡廻を可能とする。
【００２８】
天井部２００及び左側壁部２０１の全面に配置された各エアジェットノズル２０ａ及び２０ｂから吹出されたエアジェットが、エアシャワー装置１０１内の図示しない人や物に当たり、その風圧によって人や物に付着した塵埃を吹き飛ばすことで除塵を行う。この時エアシャワー装置１０１内に舞っている塵埃は、右側壁部２０２の床面に達するまで配置された全面パンチング板３より吸い込まれる。この場合、右側壁部２０２の除塵室３００側（右側壁面）に全面にパンチング孔３０を設けた全面パンチング板３を設けたことで、左側壁面６の全面に配置されたエアジェットノズル２０ｂから吹出されたエアジェットには、一様の横方向の流れが発生し、除塵室３００の全体において（特に、床面近くにおいて）気流の淀みを低減して、除塵室３００内の塵埃を均一に吸い込むことができる。このように、左側壁面６のエアジェットノズル２０ｂを左側壁面６の一面に配置することで、膝下までにしか風を当てることができなかった従来のエアシャワー装置と比較し、膝下以下にもエアジェットを当てることができ、床面近くの塵埃の確実な除去・吸引を可能とする。
【実施例２】
【００２９】
本発明の実施例２について、図２に基づいて説明する。図２はエアシャワー装置１０２を正面から見た場合の断面図を中央に表しており、また、そのエアシャワー装置の天井面５、左右側壁面６、３、床面７の、除塵室３００側から見た平面図を展開して表示している。尚、以降の実施例において、実施例１と同一の構造に対しては同一の符号を付し、その説明を一部省略する。
【００３０】
実施例２は、図１の実施例１に対比して、床面部２０３が設けられており、その除塵室３００側（床面側）には多数のパンチング孔７０を一面に形成した全面パンチング板７が床面として設けられ、全面パンチング板７（床面）の除塵室３００と対向する側（図２において全面パンチング板７の下方側）にはパンチング孔７０からの塵埃のうち、大きな塵埃を集塵するための粗塵用フィルタ４ｄが設置されている。床面部２０３の内部も、天井部２００及び左右側壁面部２０１、２０２と同様に中空となっており、天井部２００及び左右側壁部２０１、２０２の中空部と空気の往来が可能に形成されている。これにより、右側壁面部２０２からだけでなく床面部２０３からも塵埃を含んだ空気を吸い込むことができて床面近くの淀みをより低減できる。
【実施例３】
【００３１】
本発明の実施例３について、図３に基づいて説明する。図３は、図２と同様にエアシャワー装置１０３を正面から見た場合の断面図を中央に表しており、また、そのエアシャワー装置１０３の天井面５、左右側壁面６、３、床面７の、除塵室３００側から見た平面図を展開して表示している。
【００３２】
実施例３は、図２の実施例２に対比して、天井部２００を、全面ジェットノズル配置構成から全面パンチング板８構成としたものである。この場合、天井部２００には、周囲の空気を吸引するするファンモータ１ａと、ファンモータ１ａによって吸引した空気から塵埃を取り除くフィルタ２ａとを備える。また、天井部２００の除塵室３００側（天井面５）にはフィルタ２ａから吐出された空気を除塵室３００に均一流として送り出すため、天井面５全面に多数のパンチング孔８０を一面に形成した全面パンチング板８を備えている。これにより、左側壁部２０１からのエアジェット吐出期間終了後に天井面５からの一様なダウンフローにより、素早く除塵室３００内の清浄度を高く保つことができる。
【実施例４】
【００３３】
本発明の実施例４について、図４に基づいて説明する。図４は、図２と同様にエアシャワー装置１０４を正面から見た場合の断面図を中央に表しており、また、そのエアシャワー装置１０４の天井面５、左右側壁面６、３、床面７の、除塵室３００側から見た平面図を展開して表示している。
【００３４】
実施例４は、図２の実施例２に対比して、右側壁部２０２のパンチング孔９０の開孔率を上下で変えたものを全面パンチング板９として設置したものである。このように、全面パンチング板９内での上下の開孔率を変えることにより、空気の吸い込み量を変えることができ、上方の塵埃の多い部分で吸い込み量を増やし、下方でも必要とする空気流を確保するなど、床面部近くの空気溜りをなくしてより除塵効率を高くすることができる。また、実施例４では、実施例２と同様に、床面部２０３が設けられており、その除塵室３００側（床面側）には多数のパンチング孔７０を一面に形成した全面パンチング板７が床面として設けられ、全面パンチング板７（床面）の除塵室３００と対向する側（図２において全面パンチング板７の下方側）にはパンチング孔７０からの塵埃のうち、大きな塵埃を集塵するための粗塵用フィルタ４ｄが設置されているので、床面近くの淀みをより低減できる。
【実施例５】
【００３５】
本発明の実施例５について、図５に基づいて説明する。図５は、図２と同様にエアシャワー装置１０５を正面から見た場合の断面図を中央に表しており、また、そのエアシャワー装置１０５の天井面５、左右側壁面６、３、床面７の、除塵室３００側から見た平面図を展開して表示している。
【００３６】
実施例５は、図１の実施例１に対比して、床面部２０３に、ファンモータ１ｄと、フィルタ２ｄと、エアジェットノズル２０ｄを追加し、天井面５、左側壁面６及び床面７の三方向からのエアジェットを吹き出すことができる構成としたものである。これにより、他の実施例ではエアジェットノズルから距離が離れ、風圧が弱まる足元にも、一定の風圧による空気を当てることが可能となる。
【実施例６】
【００３７】
本発明の実施例６について、図６に基づいて説明する。図６は、図５と同様にエアシャワー天井部２００、側壁面２０１、２０２及び床面部２０３にエアジェットノズル２０ａ、２０ｂ、２０ｄ及びファンモータ１ａ、１ｂ、１ｄ及びフィルタ２ａ、２ｂ、２ｄを設け、エアシャワー装置１０６の天井面５、左右側壁面６、３、床面７の、除塵室３００側から見た平面図を展開して表示している。
【００３８】
実施例６は、図５に対して、右側壁部２０２の構成を相違させたものである。つまり、エアシャワー装置１０６の右側壁部２０２の上側をエアジェットノズル２０ｃを配置し、その最下側には多数のパンチング孔３０を形成したパンチング板３１を配置した構成に変更したものである。最下側に配置したパンチング板３１の下流側には粗塵用フィルタ４ｃ及びファンモータ１ｃ、フィルタ２ｃが配置されている。これにより、上下左右の４方向からエアジェットを吹出すことができ、体・物に付着した塵埃をより多く確実に落すことが可能となる。また、最下側にパンチング板３１を配置したので、床面部２０３近くの塵埃を含んだ空気を吸い込むことができて床面近くの淀みをより低減できる。なお、符号１０は、床面エアジェットノズルカバーである。
【実施例７】
【００３９】
本発明の実施例７について、図７に基づいて説明する。図７は、図２と同様にエアシャワー装置１０７を正面から見た場合の断面図を中央に表しており、また、そのエアシャワー装置１０７の天井面５、左右側壁面６、３、床面７の、除塵室３００側から見た平面図を展開して表示している。
【００４０】
実施例７は、天井部２００には、エアジェットノズル２０ａ、ファンモータ１ａ及びフィルタ２ａを設け、左側壁部２０１には、エアジェットノズル２０ｂ、ファンモータ１ｂ及びフィルタ２ｂを設け、右側壁部２０２には、エアジェットノズル２０ｃ、ファンモータ１ｃ及びフィルタ２ｃを設け、床面部２０３には、多数のパンチング孔７０を形成した全面パンチング板７及び粗塵用フィルタ４ｄを設けた構成である。これにより、上方及び左右の３方向からエアジェットを吹き出すことができ、床面部２０３からは塵埃を吸引することができる。また、エアジェット終了後に除塵室３００に残ってしまった塵埃も、床面部２０３の粗塵用フィルタ４ｄの吸引力によるダウンフローにより床面部２０３にて捕捉することが可能となる。
【００４１】
以上、本発明の各実施例について詳述したが、本発明は前記実施例に限定されるものではなく、本発明の要旨の範囲内で種々の変形実施が可能である。例えば、エアシャワー装置に入退室用のドアを設けるとしたが、これに限定せず、ファンモータに相応の吸引力があればカーテン等で代用してもよい。また、壁面を中空としたが、これに限定せず、除塵室を形成する壁面があればよい。
【００４２】
本発明は、エアシャワー室内の空気を本体側壁面に配置した全面パンチング板から空気を吸い込みながら、ファンモータにより加圧してＨＥＰＡフィルタにより除塵した空気を、天井部及び本体の少なくとも１面の側壁面からのジェットノズルにより吹出す構造を有したエアシャワーである。これにより、床面部を設けなければ、建屋床の使用により入退室の際に段差が生じなく、且つ、側面の全面吸い込みの為、床面近くにおいても吸い込みによる埃だまりを低減することができる構造である。
【００４３】
本発明は、これに加えて、床面部にも全面パンチング床を設置することも可能である。これにより、段差が生じることにはなるが、左右側壁面と床面の２面を全面吸い込みとすることができ、床面近くの空気の淀みをさらに低減することが可能である。また、比較的重い塵埃が床面に蓄積するのを防ぐことができる。これによりエアシャワー室内清浄度をより高く保つことができる。
【００４４】
また、本発明は、天井面からエアカーテンによるダウンフローを生成させ、床面からは全面吸い込みパンチング板を配置することが効果的である。これにより、エアジェットの終了後に、天井エアカーテンによりエアシャワー室内の清浄度を高く保つことができる。また、床面のパンチング板の開孔率を側壁面よりも高くすることにより、床面からの空気の吸い込み量を高くすることができ、床面近くに蓄積しやすい重い塵埃の除去においても効率よく除塵できる。
【００４５】
また、本発明は、側壁面のパンチング板の開孔率を下部よりも上部を高く構成することも効果的である。この場合、側壁面からの空気の吸い込み量は、下部よりも上部の方が多くなる。これにより、軽い塵埃は浮遊しているので側壁面の上部から吸われ、重い塵埃は落下して側壁面の下部及び床面から吸われることとなり、塵埃の特性にあった方向から吸い込むことができるため、効率よく除塵できる。
【００４６】
また、本発明は、床面からもエアジェットが吹出す構造とすることも可能である。これにより、入室者がエアシャワー室内で回転した場合に、入室者の体全体にエアジェットを当てることができる。
【００４７】
また、本発明は、吸い込み位置を一方の側壁面の下部の一部分のみとした構成を採用することも可能である。これにより、入室者の上下左右からエアジェットが吹出し、効率よく除塵が可能である。
【符号の説明】
【００４８】
１０１〜１０７  エアシャワー装置
２００  天井部
２０１  左側壁部
２０２  右側壁部
２０３  床面部
３００  除塵室
１ａ  ファンモータ（天井部用）
１ｂ  ファンモータ（左側壁部用）
１ｃ  ファンモータ（右側壁部用）
１ｄ  ファンモータ（床面部用）
２ａ  フィルタ（天井部用）
２ｂ  フィルタ（左側壁部用）
２ｃ  フィルタ（右側壁部用）
２ｄ  フィルタ（床面部用）
４ｃ  粗塵用フィルタ（右側壁部用）
４ｄ  粗塵用フィルタ（床面部用）
５  天井面
６  左側壁面
３  右側壁面
７  床面（全面パンチング板）
８  天井面全面パンチング板
９  右側壁面開孔率変更全面パンチング板
１０  床面エアジェットノズルカバー
【図１】
2014025617.tif 000003
【図２】
2014025617.tif 000004
【図３】
2014025617.tif 000005
【図４】
2014025617.tif 000006
【図５】
2014025617.tif 000007
【図６】
2014025617.tif 000008
【図７】
2014025617.tif 000009